(57)【要約】【課題】スペースを省略して、空スペースの数を明示することのできる有料駐車場の駐車場表示装置を提供する。【解決手段】有料駐車場１の空状況を表示する駐車場表示装置１０において、駐車場表示装置１０が、駐車場が満車の場合には、駐車場表示装置１０の表示板１４に満と表示する。駐車場１に空スペースがある場合には、駐車場表示装置１０は、同じ表示板に空と表示するとともに、空スペースの数字を同じ表示板１４に表示して、空の表示と空の数字の表示を同じ表示板１４に交互に表示する。【選択図】図６
2018104897.tif 000002
【特許請求の範囲】
【請求項１】
有料駐車場の空状況を表示する駐車場表示装置において、
駐車場表示装置が、駐車場が満車の場合には、上記駐車場表示装置の表示板に満と表示し、
駐車場に空スペースがある場合には、上記駐車場表示装置は、同じ上記表示板に空と表示するとともに、空スペースの数字を同じ上記表示板に表示して、上記空の表示と空の数字の表示を同じ上記表示板に交互に表示することを特徴とする駐車場表示装置。
【請求項２】
上記駐車場表示装置は、上記表示板に表示する満車又は空と空の数字のデータが、上記有料駐車場の駐車料金支払装置からのデータに基づき表示される請求項１に記載の駐車場表示装置。
【請求項３】
上記駐車場表示装置は、上記表示板に光センサーを設けて、該光センサーのデータに基づき、上記表示板の明るさを周囲の明るさに応じて変化させる請求項１又は請求項２に記載の駐車場表示装置。
【請求項４】
上記駐車場表示装置は、上記表示板の表示を点滅させることが可能な請求項１乃至請求項３いずれか１項に記載の駐車場表示装置。
【請求項５】
上記駐車場表示装置の上記表示板は、ＬＥＤにより発光させる請求項１乃至請求項４いずれか１項に記載の駐車場表示装置。
【発明の詳細な説明】
【技術分野】
【０００１】
本発明は、有料駐車場の空状況を表示する駐車場表示装置に関するものである。
【背景技術】
【０００２】
従来、街頭の有料駐車場は、その駐車場の空状況を利用者に知らせるために、空スペースがある場合には、その表示板に空の表示を行い、空スペースが無い満車の場合には満の表示を行っている。
しかしながら、２台以上で連なって駐車をしたい場合には、空の表示のみでは、何台の駐車が可能か不明であり、利用者にとって不便であった。
【０００３】
また、図７に示すように、駐車場に設けた超音波センサユニット１１１からのデータを、通信コントローラ１１２を経由して在庫処理装置１１０に送り、在庫処理装置１１０から通信コントローラ１１２を経由して、空スペースの数を表示する表示板１１４と、表示板１１４とは別に満車状況を知らせる満車表示灯１１３を表示させるものがある（例えば、特許文献１参照。）。
【０００４】
しかしながらこの場合には、空スペースの数を表示する表示板１１４と満車状況を知らせる満車表示灯１１３を別々に設ける必要があり、表示板１１４と満車表示灯１１３を目立つように設置するスペースが必要となり、コストも増加する。
【先行技術文献】
【特許文献】
【０００５】
【特許文献１】特開平６−２６６９９９号公報
【発明の開示】
【発明が解決しようとする課題】
【０００６】
本発明は、スペースを省略して、空スペースの数を明示することのできる有料駐車場の駐車場表示装置を提供することを目的とする。
【課題を解決するための手段】
【０００７】
上記課題を解決するために請求項１の本発明は、有料駐車場の空状況を表示する駐車場表示装置において、
駐車場表示装置が、駐車場が満車の場合には、駐車場表示装置の表示板に満と表示し、
駐車場に空スペースがある場合には、駐車場表示装置は、同じ表示板に空と表示するとともに、空スペースの数字を同じ表示板に表示して、空の表示と空の数字の表示を同じ表示板に交互に表示することを特徴とする駐車場表示装置である。
【０００８】
請求項１の本発明では、有料駐車場の空状況を表示する駐車場表示装置において、駐車場が満車の場合には、駐車場表示装置の表示板に満と表示する。このため、駐車場表示装置の表示板に満車の状況を利用者に明確に表示することができる。
【０００９】
駐車場に空スペースがある場合には、駐車場表示装置は、同じ表示板に空と表示するとともに、空の数字を同じ表示板に表示して、空の表示と空の数字の表示を同じ表示板に交互に表示する。このため、駐車場表示装置の表示板に空スペースの状況を利用者に明確に表示することができるとともに、同じ表示板に空の数字の表示をすることができ、１つの表示板に、必要な空スペースの状況をその数字を利用者に明確に表示することができる。したがって、従来の表示板に機能を追加すればよく、空スペースの数字の表示のための別部材が不要となる。
さらに、空の表示と空の数字の表示を同じ表示板に交互に表示するため、利用者の注意を引いて、目立たせることができる。
【００１０】
請求項２の本発明は、駐車場表示装置は、表示板に表示する満車又は空と空の数字のデータが、有料駐車場の駐車料金支払装置からのデータに基づき表示される駐車場表示装置である。
【００１１】
請求項２の本発明では、駐車場表示装置は、表示板に表示する満車又は空と空の数字のデータが、有料駐車場の駐車料金支払装置からのデータに基づき表示される。このため、表示板に表示する満車又は空と空の数字のデータが、駐車料金支払い装置に利用者が料金を支払うことにより、自動的に更新されて、確実である。
【００１２】
請求項３の本発明は、駐車場表示装置は、表示板に光センサーを設けて、光センサーのデータに基づき、表示板の明るさを周囲の明るさに応じて変化させる駐車場表示装置である。
【００１３】
請求項３の本発明では、駐車場表示装置は、表示板に光センサーを設けて、光センサーのデータに基づき、表示板の明るさを周囲の明るさに応じて変化させる。このため、周囲の明るさに応じて、表示板を見やすくすることができ、光センサーンより、駐車場内の照明用のライトや、看板の照明用のライトの自動点灯が可能である。
【００１４】
請求項４の本発明は、駐車場表示装置は、表示板の表示を点滅させることが可能な駐車場表示装置である。
【００１５】
請求項４の本発明では、駐車場表示装置は、表示板の表示を点滅させることが可能であるため、表示板の表示を点滅させることにより、利用者の注意を引くことができ、広告効果が大きい。
【００１６】
請求項５の本発明は、駐車場表示装置の表示板は、ＬＥＤにより発光させる駐車場表示装置である。
【００１７】
請求項５の本発明では、駐車場表示装置の表示板は、ＬＥＤにより発光させるため、表示装置の表示板を全面的にむらなく発光させることができるとともに、発光体の寿命が長く、消費電力も少ない照明装置を得ることができる。
【発明の効果】
【００１８】
駐車場に空スペースがある場合には、駐車場表示装置は、同じ表示板に空と表示するとともに、空スペースの数字を同じ表示板に表示して、空の表示と空スペースの数字の表示を同じ表示板に交互に表示するため、駐車場表示装置の表示板に空きスペースの状況を表示することができるとともに、同じ表示板に空スペースの数字の表示をすることができ、１つの表示板に、必要な空スペースの状況をその数字を利用者に明確に表示することができる。従来の表示板に機能を追加すればよく、空スペースの数字の表示のための別部材が不要となる。
【図面の簡単な説明】
【００１９】
【図１】本発明の実施の形態に係る、駐車場の平面図である。
【図２】本発明の実施の形態に係る、駐車場表示装置の空表示を示す表示板の正面図である。
【図３】本発明の実施の形態に係る、駐車場表示装置の満車表示を示す表示板の正面図である。
【図４】本発明の実施の形態に係る、駐車場表示装置の駐車スペースの空の数字を示す表示板の正面図である。
【図５】本発明の実施の形態に係る、駐車場表示装置の表示板のＬＥＤの配置を示す正面図である。
【図６】本発明の実施の形態に係る、駐車場表示装置の表示板を作動させるフローチャートである。
【図７】従来の駐車場表示装置の作動を示す配線図である。
【発明を実施するための形態】
【００２０】
本発明の実施の形態の有料駐車場１の駐車場表示装置１０を図１〜図６に基づき説明する。
有料駐車場１は、図１に示すように、多数の駐車スペース２と、駐車料金支払装置２０と駐車場表示装置１０を有している。また、有料駐車場１を使用するための説明や、注意事項を表示する案内板４を有して、夜間の有料駐車場１を照明する照明灯５も設けられている。
【００２１】
駐車場表示装置１０は、駐車スペース２の空や空数及び満車の状態を利用者に表示する表示板１４を有している。
表示板１４は、空きスペースのある状態では、図２に示すように、「空」の表示を行う空表示部１１を有している。「空」の表示は、表示板１４に「空」の表示をするように配列された緑色ＬＥＤ１５の発光により行う。
【００２２】
さらに、空きスペースのある状態では、図４に示すように、空きスペースの「数字」を表示する空数表示部１３を有している。「数字」の表示は、１〜９までの数字を表示するように配列された白色ＬＥＤ１７の発光により行う。
【００２３】
この「空」の表示と「数字」の表示は、同じ表面に交互に「空」と「数字」の表示を繰り返して、表示することができる。交互に「空」と「数字」の表示を繰り返すサイクルタイムは、利用者の注目を引くように、自由に変更することができる。
【００２４】
表示板１４は、空きスペースの無い満車の状態では、図３に示すように、「満」の表示を行う満車表示部１２を有している。「満」の表示は、表示板１４に「満」の表示をするように配列された赤色ＬＥＤ１６の発光により行う。
なお、「空」と「数字」及び「満」の表示のＬＥＤ自体を点滅させることもできる。表示板１４の表示を点滅させる場合には、表示板１４の表示を点滅させることにより、利用者の注意を引くことができ、広告効果を大きくすることができる。
【００２５】
このため、表示板１４は、図５に示すように、同一の表示板１４に「空」と「数字」及び「満」の表示をするように、緑色ＬＥＤ１５、白色ＬＥＤ１７及び赤色ＬＥＤ１６が同一面に、それぞれ配列して設けられている。なお、本実施の形態では、緑色ＬＥＤ１５、白色ＬＥＤ１７及び赤色ＬＥＤ１６のＬＥＤを使用したが、他の色のＬＥＤを使用することもできる。
ＬＥＤにより発光させるため、表示板１４を全面的にむらなく発光させることができるとともに、発光体の寿命が長く、消費電力も少なくすることができる。
【００２６】
また、駐車場表示装置１０は、表示板１４に光センサーを設けて、光センサーのデータに基づき、緑色ＬＥＤ１５、白色ＬＥＤ１７及び赤色ＬＥＤ１６の発光の強度を調整して、表示板１４の明るさを周囲の明るさに応じて変化させることができる。この場合には、周囲の明るさに応じて、表示板１４を見やすくすることができる。また、光センサーンより、駐車場内の照明用のライトや、看板の照明用のライトの自動点灯が可能である。
【００２７】
本実施の形態では、駐車場表示装置１０は、表示板１４に表示する満車又は空スペースの数字のデータは、有料駐車場１の駐車料金支払装置２０からのデータに基づき表示することができる。データの送信は、ケーブル又は無線通信により行うことができる。この場合には、表示板１４に表示する満車又は空スペースの数字の表示が、駐車料金支払装置２０に利用者が料金を支払うことにより、自動的に更新されて、確実である。
【００２８】
次に、図６に基づき駐車場表示装置１０の作動について説明する。
駐車場表示装置１０の作動を開始するスイッチを入れる。
次に、表示板１４の明るさを、昼間と夜間のそれぞれの場合に設定する。そして、表示板１４の光センサーの作動を確認し、駐車料金支払装置２０からのデータの送信状況を確認する。
【００２９】
駐車料金支払装置２０から駐車スペース２がなく、満車のデータが送信されたときは、表示板１４は、「満」の表示を連続的に行う。
駐車スペース２がある場合には、表示板１４は、「空」の表示と、駐車スペース２の空数の数字を表示する。空数は１〜９の数字で表示する。空数が１０以上ある場合でも９の表示を行う。１０以上の数字を表示しても無駄であり、表示板１４のＬＥＤの配列が複雑になるからである。
なお、表示板１４は、「空」の表示のみを連続的に表示して、空数の数字の表示をやめることもできる。
【符号の説明】
【００３０】
１  有料駐車場
２  駐車スペース
１０  駐車場表示装置
１４  表示板
２０  駐車料金支払い機
【図１】
2018104897.tif 000003
【図２】
2018104897.tif 000004
【図３】
2018104897.tif 000005
【図４】
2018104897.tif 000006
【図５】
2018104897.tif 000007
【図６】
2018104897.tif 000008
【図７】
2018104897.tif 000009